(57)【要約】【課題】  身体各部の体温バランスを速やかに計測することができる乳房用及び婦人用等の体温バランス測定装置を提供する。【解決手段】筐体内に所定の演算処理部を備えで所定の計測結果の表示をなす表示部（計測値表示部１１ａ，１１ｂ、計測結果表示部１２）を備えた本体部１と、本体部１から突出して先端にセンサ部３ａ，３ｂを設けたプローブ部２ａ，２ｂを、適宜間隔あけて複数突設すると共に、可撓性を備えた柔軟性材質で形成し、前記表示部が計測時の各センサ部の計測値及び計測値に対応して計測結果（判定結果）を表示してなる。【選択図】図１
2020118485.tif 000002
【特許請求の範囲】
【請求項１】
筐体内に所定の演算処理部を備え所定の計測結果の表示をなす表示部を設けた本体部と、本体部から突出して先端にセンサ部を設けたプローブ部からなる体温測定装置において、プローブ部を適宜間隔あけて複数突設すると共に、可撓性を有する柔軟性材質で形成し、表示部が計測時の各センサ部に対応した計測結果を表示してなることを特徴とする乳房用及び婦人用等の体温バランス測定装置。
【請求項２】
プローブ部の先端間隔を５０〜６０ｍｍとして腋窩と乳房の体温計測用とした請求項１記載の乳房用及び婦人用等の体温バランス測定装置。
【請求項３】
本体部に左右切換えスイッチを設けると共に、左右切換えスイッチのオンオフに対応して左右体温を対比表示する表示部を設けてなる請求項２記載の乳房用及び婦人用等の体温バランス測定装置。
【請求項４】
本体部に他部材への連結部を設けてなる請求項２又は３記載の乳房用及び婦人用等の体温バランス測定装置。
【請求項５】
プローブ部を８〜１０ｃｍの細棒状に形成すると共に、先端間隔を３０〜３５ｍｍとし、先端センサ部の他にプローブ部中間外周面にもセンサ部を設けて婦人用膣内体温の計測用とした請求項１記載の乳房用及び婦人用等の体温バランス測定装置。
【請求項６】
プローブ部が左右配置となる本体部表面と、プローブ部が前後配置となる本体部側面に各々当該配置での計測時の計測結果を表示する表示部を設けると共に、左右計測と前後計測の切換えスイッチを設けてなる請求項５は記載の乳房用及び婦人用等の体温バランス測定装置。
【発明の詳細な説明】
【技術分野】
【０００１】
本発明は、複数点を同時計測する乳房用及び婦人用等の体温バランス測定装置に関するものである。
【背景技術】
【０００２】
体温の測定には、耳内温度、口内温度を測ることもあるが、もっとも一般的には、腋の下の体温を測っている。この体温測定には一般に棒状の電子体温計が使用されており、その基本構成は、本体部から突出するプローブ部の先端にセンサ部を設け、本体部にセンサ検知温度を直接或いは温度上昇の時間経過に基づく算定温度を体温として表示する表示部を備えてなるものである。
【０００３】
また特に前記プローブ部を軟質筒体で形成して、センサ部を身体の所望箇所に押し付けるようにして計測することを可能としている（特許文献１，２）。
【０００４】
また婦人体温計として膣内温度を計測するタンポン型式の体温計も知られている（特許文献３）。
【先行技術文献】
【特許文献】
【０００５】
【特許文献１】特開２００１−２４９０５５号公報。
【特許文献２】実用新案登録３１５５１３２号公報。
【特許文献３】特開昭６０−１８８１２９号公報。
【発明の概要】
【発明が解決しようとする課題】
【０００６】
体温の計測個所として、脇の下の体温の測定は身体前面から斜め上方に向けてプローブ部を脇の下に差し入れて計測しているが、その体温の根拠は腋窩動脈から分岐した上腕動脈の影響を大きく受ける。また身体の左右では計測した体温は必ずしも一致しない。
【０００７】
また例えば乳癌は、乳房の四分円のうち上外側の発症確率が高く、左右同時発症の可能性が低いので、左右の乳房の当該部分の体温を計測することで早期発見に貢献する可能性があるが、身体の左右では比較判断の基礎となる体温が相違する。
【０００８】
そこで本発明は左右の体温バランスに基づく所望箇所の体温計測を迅速に行うことができる新規な乳房用及び婦人用等の体温バランス測定装置を提案したものである。
【課題を解決するための手段】
【０００９】
本発明の請求項１記載に係る乳房用及び婦人用等の体温バランス測定装置は、筐体内に所定の演算処理部を備え所定の計測結果の表示をなす表示部を設けた本体部と、本体部から突出して先端にセンサ部を設けたプローブ部からなる体温測定装置において、プローブ部を適宜間隔あけて複数突設すると共に、可撓性を有する柔軟性材質で形成し、表示部が計測時の各センサ部に対応した計測結果を表示してなることを特徴とするものである。
【００１０】
而して２個のプローブ部の先端に設けたセンサ部を、異なる身体位置に当接して計測し、当該箇所の体温を測定でき、当該体温値や体温値に基づく体温バランスを知ることができる。また例えば身体の左右において、一方のセンサ部を基準箇所として、他方センサ部を計測対象とした場合、単一体温計では基準箇所２カ所と対象箇所２カ所の計４回の体温計測を行う必要があるところ、２回の計測で計測対象の左右バランスを速やかに知ることができる。
【００１１】
また本発明の請求項２記載に係る乳房用及び婦人用等の体温バランス測定装置は、プローブ部の先端間隔を５０〜６０ｍｍとして腋窩と乳房の体温計測用としたものである。従って身体の左右において一方のセンサ部を腋窩に当て、他方のセンサ部を乳房上外側に当てて腕で覆い、各センサ部の温度検知で左右の腋窩体温と乳房体温を測定し、身体左右の体温バランス（腋窩体温の対比）を基準として左右の乳房体温計測値を修正することで左右乳房の体温バランスを知ることができる。
【００１２】
また本発明の請求項３記載に係る乳房用及び婦人用等の体温バランス測定装置は、本体部に左右切換えスイッチを設けると共に、左右切換えスイッチのオンオフに対応して左右体温を対比表示する表示部を設けてなるもので、体温測定時に左右の身体計測時に合わせて切換えスイッチを操作することで、身体の左右の計測結果が同時に表示される。
【００１３】
また本発明の請求項４記載に係る乳房用及び婦人用等の体温バランス測定装置は、特に本体部に他部材への連結部を設けてなるもので、他部材（フレキシブル連結部材や身体装着部材）の両端に体温バランス測定装置を連結すると、身体の左右同時に計測することができる。
【００１４】
また本発明の請求項５記載に係る乳房用及び婦人用等の体温バランス測定装置は、プローブ部を８〜１０ｃｍの細棒状に形成すると共に、先端間隔を３０〜３５ｍｍとし、先端センサ部の他にプローブ部中間外周面にもセンサ部を設けて婦人用膣内体温の計測用としたものであり、また本発明の請求項６記載に係る体温バランス測定装置は、更にプローブ部が左右配置となる本体部表面と、プローブ部が前後配置となる本体部側面に各々当該配置での計測時の計測結果を表示する表示部を設けると共に、左右計測と前後計測の切換えスイッチを設けてなるものである。
【００１５】
上記の婦人用とした体温バランス計測装置（婦人用体温計）は、例えばプローブ部を左右配置若しくは前後配置の状態で膣内に挿入し、膣内の奥方と中間部分における左右体温若しくは前後体温を測定することで、左右の体温バランスや所定の臓器温度を計測できる。
【発明の効果】
【００１６】
本発明の構成は上記のとおりで、身体の２カ所の同時計測を可能としたもので、身体の体温バランス計測が速やかに行うことができる装置を提供したものである。
【図面の簡単な説明】
【００１７】
【図１】本発明の第一実施形態の正面図。
【図２】同側面図。
【図３】同使用状態を示す説明図。
【図４】同他部材連結使用時の説明図。
【図５】同第二実施形態の説明図で（イ）は正面図（ロ）は側面図。
【図６】同使用状態を示す説明図。
【発明を実施するための形態】
【００１８】
次に本発明の実施形態について説明する図１乃至４は本発明の第一実施形態を示したもので、主として左右の乳房体温のバランスを測定する装置である。
【００１９】
第一実施形態の体温バランス測定装置は、本体部１とプローブ部２ａ，２ｂとセンサ部３ａ，３ｂを備えてなる。
【００２０】
本体部１は、従前の体温計と同様に筐体内に所定の演算処理部（図示せず）と、計測値表示部１１ａ，１１ｂと、計測結果（判定結果）表示部１２と、左右の切換えスイッチ部１３ａ，１３ｂと、切換え報知部１４ａ，１４ｂと、他部材連結部１５を備えてなる。
【００２１】
プローブ部２ａ，２ｂは、互いの先端間隔が５０〜６０ｍｍとなるように本体部１から角状に突設したもので、可撓性を備えた柔軟性材質で形成し、先端にそれぞれセンサ部（サーミスタ内蔵）３ａ，３ｂを設け、内部にセンサ部３ａ，３ｂからの感知した温度データを演算処理部に送るリード線（図示せず）を配置しているものである。
【００２２】
計測値表示部１１ａ，１１ｂは、計測した左右の各体温値を表示するもので、計測結果表示部１２は、左右の体温バランスの結果（判定結果）を表示するものである。
【００２３】
切換えスイッチ部１３ａ，１３ｂは、計測対象が身体の左右何れかであるかを選択するスイッチで、当該スイッチがオン状態の側の切換え報知部（ＬＥＤ）１４ａ，１４ｂが点灯する。
【００２４】
また演算処理部は、温度データの時間的変化からセンサ部３ａ，３ｂの当接箇所の体温を算出して、算出結果（体温）を計測値表示部１１ａ，１１ｂに各々出力して表示すると共に、左右の体温バランスを算出して計測結果として計測結果表示部１２に出力して表示する。
【００２５】
而して上記の体温バランス測定装置は、図３（イ）に示すように左右の腋窩ａ１，ｂ１及び左右乳房の上外側箇所ａ２，ｂ２の体温を測定するもので、身体の左側を測定する場合には、左腋用の切換えスイッチ部１３ａを操作してオン状態とし、切換え報知部１４ａが点灯したのを確認し、図３（ロ）に示すようにセンサ部３ａを腋窩ａ１に当て、他方のセンサ部３ｂを乳房上外側ａ２に当てて腕で覆い、各センサ部３ａ，３ｂで左の腋窩体温と乳房体温を測定する。
【００２６】
測定値は左側の計測値を表示する計測値表示部１１ａに表示する。計測表示部１１ａ，１１ｂの「外側用」がセンサ部３ａの計測値（＝腋窩体温）を「内側用」がセンサ部３ｂの計測値（＝乳房体温）の計測値を表示する。「外側用」及び「内側用」の表示は、本実施形態が乳房体温バランス以外にも使用する場合もあるからである。
【００２７】
身体の左側の測定を終えると、切換えスイッチ部１３ｂを操作してオン状態とし、切換え報知部１４ｂの点灯を確認して、身体の左側ｂ１，ｂ２の測定を行い、計測値を計測値表示部１１ｂに表示する。
【００２８】
更に演算処理部で、予め定めている所定の演算方法で、左右の腋窩体温を基準として左右の乳房体温のバランスを算出判定し、当該結果を計測結果表示部１２に表示する。例えば一方に乳癌が存在すると乳房体温に左右のバランスの乱れが生ずるので、診断の判断材料として提供することができる。
【００２９】
また本体部１には他部材連結部１５を付設しておくことで、別に形成した身体装着器具Ａに２個連結すると共に、本体部１から計測データを出力させ、別置の処理装置で判定結果を表示するようにすると、左右同時測定が可能となる。
【００３０】
また図５，６は本発明の第二実施形態を示すもので、特に婦人用膣内体温のバランス計測用の装置としたものである。
【００３１】
第二実施形態の体温バランス測定装置は、基本構成は第一実施形態と同一であるが、特にプローブ部とセンサ部と表示部の形状・配置が異なるものである。
【００３２】
第二実施形態の本体部４は、第一実施形態と同様に筐体内に所定の演算処理部と、表示部及び切換えスイッチ部を備える。
【００３３】
プローブ部５ａ，５ｂは、本体部４からの突出長が８〜１０ｃｍの細棒状に形成し、先端間隔を３０〜３５ｍｍとし、センサ部（６ａ１，６ａ２，６ｂ１，６ｂ２）は、各プローブ部５ａ，５ｂの先端と中間に設けたものである。
【００３４】
表示部は、前面表示部４１ａと側面表示部４１ｂを備え、切換えスイッチ部は前面スイッチ部４２ａと側面スイッチ部４２ｂを設けてなる。
【００３５】
前記の前面表示部４１ａは、プローブ部５ａ，５ｂが左右配置となる面に前面スイッチ部４２ａと共に設け、側面表示部４１ｂはプローブ部５ａ，５ｂが前後配置となる面に側面スイッチ部４２ａと共に設けたものである。
【００３６】
而して上記第二実施形態の婦人用の体温バランス測定装置は、図６に示すようにプローブ部５ａ，５ｂを膣Ｂ内に挿入して使用するもので、プローブ部５ａ，５ｂを左右配置にして使用する場合には、先端センサ部６ａ１，６ｂ１及び中間センサ部６ａ２，６ｂ２の計測値を前面表示部４１ａに表示するものである。
【００３７】
前記の先端センサ部６ａ１，６ｂ１部の計測値から子宮頚部の左右の体温バランス（卵巣の状態比較）を行うことができ、中間センサ部６ａ２，６ｂ２の計測値から産道部分の左右温度バランスを知ることで出産時の強弱を想像できる。
【００３８】
またプローブ部５ａ，５ｂを前後に配置して使用すると、先端センサ部６ａ１，６ｂ１部の計測値から子宮頚部温度とＳ字状結腸温度の比較ができ、中間センサ部６ａ２，６ｂ２の計測値から膀胱温度と直腸温度の対比を知ることができる。
【符号の説明】
【００３９】
１      本体部
１１ａ，１１ｂ    計測値表示部
１２    計測結果（判定結果）表示部
１３ａ，１３ｂ    切換えスイッチ部
１４ａ１４ｂ    切換え報知部
１５    他部材連結部
２ａ，２ｂ    プローブ部
３ａ，３ｂ    センサ部
４      本体部
４１ａ    前面表示部
４１ｂ    側面表示部
４２ａ    前面スイッチ部
４２ｂ    側面スイッチ部
５ａ，５ｂ    プローブ部
６ａ１，６ｂ１    先端センサ部
６ａ２，６ｂ２    中間センサ部
【図１】
2020118485.tif 000003
【図２】
2020118485.tif 000004
【図３】
2020118485.tif 000005
【図４】
2020118485.tif 000006
【図５】
2020118485.tif 000007
【図６】
2020118485.tif 000008